(57)【要約】【課題】本発明はケーブル側コネクタに適用されるコネクタ保護カバーに関し、簡単な構成で、運搬等の取り扱い中に無用に脱落することがなく、且つ、強く引っ張ると確実に取外されるようにすることを目的とする。【解決手段】コネクタ保護カバー２００は、差し込み部１８Ａに丁度嵌合するサイズであり、長手方向の端であるＸ１側に存在して短手側を構成する側壁部２０１を、片持ち梁状とし、この片持ち梁状の側壁部２０１の先端側の内側に突起部２０２を有する形状である。片持ち梁状の側壁部２０１はＹ１方向に延在しており矢印２０５の方向に撓む。差し込み部１８Ａには、端に凹部１８Ａａが形成してある。コネクタ保護カバー２００は、Ｘ１側に片持ち梁状の側壁部２０１が少し撓まされ、突起部２０２が凹部１８Ａａに嵌合して取り付けられる。【選択図】図４
2007122886.tif 000002
【特許請求の範囲】
【請求項１】
シールドカバーの端の囲み部内に、モールド部品のうちの前側に突き出ている板状部に信号コンタクトとグランドコンタクトとが並んでいる構成の差し込み部を有するコネクタの該差し込み部に被せられるコネクタ保護カバーであって、
一部にばね性を有する部分を有し、該ばね性を有する部分によって簡単には外れない状態で取り付けられる構成としたことを特徴とするコネクタ保護カバー。
【請求項２】
請求項１に記載のコネクタ保護カバーにおいて、
該コネクタ保護カバーは、短手側を形成する短手側側壁部を有し、
前記該ばね性を有する部分は、前記短手側側壁部よりなる構成としたことを特徴とするコネクタ保護カバー。
【請求項３】
シールドカバーの端の囲み部内に、モールド部品のうちの前側に突き出ている板状部に信号コンタクトとグランドコンタクトとが並んでいる構成の差し込み部を有するコネクタの該差し込み部に被せられるコネクタ保護カバーであって、
内部に突部を有し、該突部が前記差し込み部に接触して摩擦によって簡単には外れない状態で取り付けられる構成としたことを特徴とするコネクタ保護カバー。
【請求項４】
請求項３に記載のコネクタ保護カバーにおいて、
該コネクタ保護カバーは、対向する長手方向側壁部を有する構成であり、
前記突部は、該対向する長手方向側壁部の内面に向かいあって形成してある構成としたことを特徴とするコネクタ保護カバー。
【請求項５】
シールドカバーの端の囲み部内に、モールド部品のうちの前側に突き出ている板状部に信号コンタクトとグランドコンタクトとが並んでいる構成の差し込み部を有するコネクタであって、
前記差し込み部は突部を有する構成であり、
コネクタ保護カバーがその内面が前記該突部に接触して摩擦によって簡単には外れない状態で取り付けられる構成としたことを特徴とするコネクタ。
【請求項６】
請求項５に記載のコネクタにおいて、
前記突部は、前記モールド部品に一体形成してあり、前記信号コンタクトと前記グランドコンタクトとの間の部位に形成してある構成としたことを特徴とするコネクタ。
【請求項７】
請求項５に記載のコネクタにおいて、
前記突部は、前記モールド部品に一体形成してあり、前記信号コンタクトと前記グランドコンタクトとが並んでいる領域の外側に形成してある構成としたことを特徴とするコネクタ。
【発明の詳細な説明】
【技術分野】
【０００１】
本発明はコネクタ保護カバーに係り、特にケーブルの端に設けてあるケーブル側コネクタの先端の差し込み部に被せられるコネクタ保護カバーに関する。
【０００２】
ケーブル側コネクタは、電子機器のプリント基板の端に実装してある基板側コネクタに接続されて使用される。
【背景技術】
【０００３】
ケーブル側コネクタの先端の差し込み部はコンタクトが露出して並んでいる構成であり、ケーブル側コネクタを使用するまで、例えば工場から出荷されるときには、カバー等で覆って保護しておくことが望ましい。
【特許文献１】特開平７−２２０７９７号公報
【発明の開示】
【発明が解決しようとする課題】
【０００４】
このカバーは、簡単には外れないように所定の保持力が保持されていることが望ましい。
【０００５】
本発明は、上記の点に鑑みなされたものであり、上記課題を解決したコネクタ保護カバーを提供することを目的とする。
【課題を解決するための手段】
【０００６】
そこで、本発明は、シールドカバーの端の囲み部内に、モールド部品のうちの前側に突き出ている板状部に信号コンタクトとグランドコンタクトとが並んでいる構成の差し込み部を有するコネクタの該差し込み部に被せられるコネクタ保護カバーであって、
一部にばね性を有する部分を有し、該ばね性を有する部分によって簡単には外れない状態で取り付けられる構成としたことを特徴とする。
【発明の効果】
【０００７】
本発明によれば、ばね性を有する部分によって簡単には外れない状態で取り付けられるため、運搬及びケーブル加工等の取り扱い中に無用に脱落することが防止出来、且つ、強く引っ張ると確実に取外される。
【発明を実施するための最良の形態】
【０００８】
次に本発明の実施の形態について説明する。
【実施例１】
【０００９】
説明の便宜上、本発明のコネクタ保護カバーが適用されるケーブル側コネクタについて説明する。
【００１０】
図１は本発明のコネクタ保護カバーが適用されるケーブル側コネクタ１０を基板側コネクタ４０と対応させて示す。ケーブル側コネクタ１０はケーブル１１の端に接続されて設けてあり、電子機器のプリント基板４１の端に実装してある基板側コネクタ４０に接続されて使用される。Ｘ１−Ｘ２、Ｙ１−Ｙ２、Ｚ１−Ｚ２は夫々ケーブル側コネクタ１０の幅方向、長手方向、高さ方向である。Ｙ１は後方、Ｙ２は前方（接続の際に挿入する方向）である。
【００１１】
ケーブル側コネクタ１０は、コネクタモジュール１２がシールドカバー組立体３０内に設けてある構成である。
【００１２】
図２に示すように、コネクタモジュール１２は、コンタクト組立体１３にプリント基板２０が取り付けられている構成である。
【００１３】
コンタクト組立体１３は、図３に示すように、モールド部品１４に、その裏側から、対をなす信号コンタクト１５−１、１５−２と板状のグランドコンタクト１６とが圧入されている構成である。モールド部品１４のうち、前側に突き出ている板状部１４ａに、信号コンタクト１５−１、１５−２とグランドコンタクト１６とが並んでいる。この部分が差し込み部１８であり、基板側コネクタ４０に差し込まれる。モールド部品１４の後ろ側に、端子部１５−１ａ、１５−２ａ、１６ａが突き出て並んでいる。
【００１４】
プリント基板２０は、上面と下面とに、信号パターン２１とグランドパターン２２とが形成されている構成である。信号パターン２１は複数本が平行に配されている。残りの部分がグランドパターン２２である。
【００１５】
プリント基板２０は、その前側端を、モールド部品１４の溝部１４ｂに嵌合させて、且つ、信号パターン２１の端を端子部１５−１ａ、１５−２ａと半田付けされて、且つグランドパター２１の端を端子部１６ａと半田付けされている。
【００１６】
図１に示すように、差し込み部１８は、シールドカバー組立体３０の先端の囲い部３１内に突き出ている。
【００１７】
次に、運搬及びケーブル加工等の取り扱い中のケーブル側コネクタ１０の差し込み部１８を覆ってコンタクトを保護するコネクタ保護カバーについて説明する。
【００１８】
コネクタ保護カバーは、樹脂成形品であり、ケーブル側コネクタ１０を使用する際に取外されるものである。コネクタ保護カバーは全て樹脂成形品である。
【００１９】
以下に説明するコネクタ保護カバーは、簡単には離脱しない状態で、しかも強く引っ張ると差し込み部１８を傷つけずに確実に取外される状態で、取り付けられる構成である
図４は本発明の実施例1になるコネクタ保護カバー２００を、差し込み部１８Ａと対向させて示す。コネクタ保護カバー２００は、差し込み部１８Ａに丁度嵌合するサイズであり、長手方向の端であるＸ１側に存在して短手側を構成する側壁部２０１を、片持ち梁状とし、この片持ち梁状の側壁部２０１の先端側の内側に突起部２０２を有する形状である。片持ち梁状の側壁部２０１はＹ１方向に延在しており矢印２０５の方向に撓む。
【００２０】
差し込み部１８Ａには、端に凹部１８Ａａが形成してある。
【００２１】
このコネクタ保護カバー２００は、Ｘ１側に片持ち梁状の側壁部２０１が少し撓まされ、突起部２０２が凹部１８Ａａに嵌合して取り付けられる。
【００２２】
このコネクタ保護カバー２００は、凹部１８Ａａを有しない差し込み部にも適用が可能である。
【実施例２】
【００２３】
図５は本発明の実施例２になるコネクタ保護カバー２１０を、差し込み部１８Ｂと対向させて示す。コネクタ保護カバー２１０は、長手方向の端であるＸ１側にＹ２方向に延びている片持ち梁状の側壁部２１１を有し、且つ、側壁部２１１の先端側の内側に突起部２１２を有する形状である。
【００２４】
このコネクタ保護カバー２１０は、片持ち梁状の側壁部２１１が少し撓まされ、突起部２１２が凹部１８Ｂａに嵌合して取り付けられる。
【００２５】
このコネクタ保護カバー２１０は、凹部１８Ｂａを有しない差し込み部にも適用が可能である。
【実施例３】
【００２６】
図６は本発明の実施例３になるコネクタ保護カバー２２０を、差し込み部１８と対向させて示す。コネクタ保護カバー２２０は、図７に併せて示すように、断面が長方形の開口２２１の４つの隅部のうちの短手方向の片側の隅部に突起部２２２−１、２２２−２を有する。コネクタ保護カバー２２０は、突起部２２２−１、２２２−２が差し込み部１８のコーナ部に押し当った状態で、摩擦力で保持されて取り付けられる。
【実施例４】
【００２７】
図８は本発明の実施例４になるコネクタ保護カバー２３０を、差し込み部１８と対向させて示す。コネクタ保護カバー２３０は、図９に併せて示すように、長手方向の端であるＸ１側に両持ち梁状の側壁部２３１を有する。両持ち梁状の側壁部２３１は、コネクタ保護カバー２３０のＸ１側の二つのコーナ部を符号２３２，２３３で示すように切除することによって形成してある。コネクタ保護カバー２３０は、両持ち梁状の側壁部２３１がそれ自体のばね力で差し込み部１８の側面に押し当った状態で、摩擦力で保持されて取り付けられる。
【実施例５】
【００２８】
図１０は本発明の実施例５になるコネクタ保護カバー２４０を、差し込み部１８Ｃと対向させて示す。コネクタ保護カバー２４０は、開口端の四つのコーナに角柱状の突起２４１を有する。差し込み部１８Ｃは，その基部の各コーナ部に凹部１８Ｃａを有する。コネクタ保護カバー２４０は、各突起２４１を対応する凹部１８Ｃａに圧入されて取り付けられる。
【実施例６】
【００２９】
図１１は本発明の実施例６になるコネクタ保護カバー２５０を、差し込み部１８Ｃと対向させて示す。コネクタ保護カバー２５０は、開口端の四つのコーナに、ばね性突起２５１を有する。ばね性突起２５１は、図１２に拡大して示すように、内側に湾曲しており、ばね性を有する。コネクタ保護カバー２５０は、各ばね性突起２５１が凹部１８Ｃａ内に嵌合し、凹部１８Ｃａの側面に押し当った状態で取り付けられる。
【実施例７】
【００３０】
以下の実施例７乃至実施例１２示すコネクタ保護カバーは、対向する長手方向側壁部の内面に摩擦接触のための突条を向かい合って有する構成である。
【００３１】
図１３は本発明の実施例７になるコネクタ保護カバー２６０を示す。コネクタ保護カバー２６０は、長手方向側壁部２６１、２６２と、短い手方向側壁部２６３、２６４と、天板部２６５と、天板部２６５上の取手部２６６とを有し、Ｙ１端が長方形の開口部２６７である形状である。長手方向側壁部２６１、２６２の内面には、夫々内面の中央にＹ方向に延在しており、断面が半円形状であり、対向している一組の突条２６８、２６９が形成してある。
【００３２】
図１４に示すように、コネクタ保護カバー２６０は、差し込み部１８を覆い、突条２６８、２６９が差し込み部１８を挟んで、摩擦力でもって保持されて取り付けられる。長手方向側壁部２６１、２６２の内面は差し込み部１８の面に接触していない。
【実施例８】
【００３３】
以下の実施例８乃至実施例１２示すコネクタ保護カバーは、上記のコネクタ保護カバー２６０の変形例的なものであり、図１３に示す構成部分と対応する部分には同じ符号を付す。
【００３４】
図１５は本発明の実施例８になるコネクタ保護カバー２７０を示す。長手方向側壁部２６１、２６２の内面には、第１組の突条２７１、２７２と、第２組の突条２７３，２７４とが夫々対向して形成してある。
【００３５】
コネクタ保護カバー２７０は、図１６に示すように、差し込み部１８を覆い、第１組の突条２７１、２７２と第２組の突条２７３，２７４とが差し込み部１８を挟んで、摩擦力でもって保持されて取り付けられる。長手方向側壁部２６１、２６２の内面は差し込み部１８の面に接触していない。
【実施例９】
【００３６】
図１７は本発明の実施例９になるコネクタ保護カバー２８０を示す。長手方向側壁部２６１の内面には突条２８１、２８２が、長手方向側壁部２６２の内面には突条２８３、２８４、２８５が対向せずにずれている位置関係で配置されて形成してある。
【００３７】
コネクタ保護カバー２８０は、図１８に示すように、差し込み部１８を覆い、突条２８１、２８２と突条２８３、２８４、２８５とが差し込み部１８を挟んで、摩擦力でもって保持されて取り付けられる。長手方向側壁部２６１、２６２の内面は差し込み部１８の面に接触していない。
【実施例１０】
【００３８】
図１９は本発明の実施例１０になるコネクタ保護カバー２９０を示す。長手方向側壁部２６１、２６２の内面には、突条２９１〜２９４が、Ｙ２側の部分、即ち、奥の部分に限って形成してある。コネクタ保護カバー２９０は、図２０に示すように、差し込み部１８を覆い、突条２９１〜２９４が差し込み部１８のうち先端側の部分を挟んで、摩擦力でもって保持されて取り付けられる。長手方向側壁部２６１、２６２の内面は差し込み部１８の面に接触していない。
【００３９】
突条２９１〜２９４をコネクタ保護カバー２９０の奥の部分に限って形成した構成は、図１３に示すコネクタ保護カバー２６０及び図１７に示すコネクタ保護カバー２８０にも適用が可能である。
【実施例１１】
【００４０】
図２１は本発明の実施例１１になるコネクタ保護カバー３００を示す。長手方向側壁部２６１、２６２の内面には、突条３０１〜３０４が形成してある。突条３０１〜３０４は、Ｙ２側の部分の高い突条部３０１ａ〜３０４ａと、開口２６７側の低い突条部３０１ｂ〜３０４ｂとよりなる。低い突条部３０１ｂ〜３０４ｂはガイドとして機能する。
【００４１】
コネクタ保護カバー３００は、図２２（Ａ）に示すように、低い突条部３０１ｂ〜３０４によってガイドされて開口２６７が差し込み部１８に嵌合され、続いて、高い突条部３０１ａ〜３０４ａが差し込み部１８と嵌合し、最終的には、図２２（Ｂ）に示すように、差し込み部１８を覆い、高い突条部３０１ａ〜３０４ａが差し込み部１８のうち先端側の部分を挟んで、摩擦力でもって保持されて取り付けられる。開口２６７側に低い突条部３０１ｂ〜３０４ｂが存在することによって、コネクタ保護カバー３００を取り付ける最初の段階でコネクタ保護カバー３００の差し込み部１８に対する遊びが小さくなり、コネクタ保護カバー３００を取り付ける作業は円滑に行なわれる。
【００４２】
この開口２６７側に低い突条部を設ける構成は、図１３に示すコネクタ保護カバー２６０及び図１７に示すコネクタ保護カバー２８０にも適用が可能である。
【実施例１２】
【００４３】
図２３は本発明の実施例１２になるコネクタ保護カバー３１０を示す。長手方向側壁部２６１、２６２の内面には、突条３１１〜３１４が、Ｙ１側の部分、即ち、開口２６７の近傍の部分に限って形成してある。コネクタ保護カバー２９０は、図２４に示すように、差し込み部１８を覆い、突条３１１〜３１４が差し込み部１８のうち基部の部分を挟んで、摩擦力でもって保持されて取り付けられる。長手方向側壁部２６１、２６２の内面は差し込み部１８の面に接触していない。
【００４４】
突条３１１〜３１４をコネクタ保護カバー３１０の開口２６７の近傍に限って形成した構成は、図１３に示すコネクタ保護カバー２６０及び図１７に示すコネクタ保護カバー２８０にも適用が可能である。
【実施例１３】
【００４５】
実施例１３乃至実施例１８は、図１に示すケーブル側コネクタ１０の差し込み部１８に工夫をして、コネクタ保護カバーが簡単には離脱しない状態で取り付けられるようにした構成である。
【００４６】
図２５は本発明の実施例１３になるケーブル側コネクタの差し込み部１８Ｄを示す。差し込み部１８Ｄは、突条部４００、４０１が板部１４ａのＹ方向の略全長に亘って形成してある構成である。突条部４００、４０１は、成形によって図２中のモールド部品１４に一体的に形成してあり、信号コンタクト１５−１（１５−２）とグランドコンタクト１６との間の部分に設けてある。
【００４７】
コネクタ保護カバー４１０は、図２６（Ａ），（Ｂ）に示すように、差し込み部１８Ｄを覆い、内面が突条部４００、４０１に接触して、摩擦力でもって保持されて取り付けられる。
【実施例１４】
【００４８】
図２７は本発明の実施例１４になるケーブル側コネクタの差し込み部１８Ｅを示す。差し込み部１８Ｅは、突条部４２０が差し込み部１８Ｅの基部側（Ｙ１側）に限定して形成してある構成である。突条部４２０は、成形によって図２中のモールド部品１４に一体的に形成してあり、信号コンタクト１５−１（１５−２）とグランドコンタクト１６との間の部分に設けてある。
【００４９】
コネクタ保護カバーは、差し込み部１８Ｅを覆い、内面が突条部４２０に接触して、摩擦力でもって保持されて取り付けられる。
【実施例１５】
【００５０】
図２８は本発明の実施例１５になるケーブル側コネクタの差し込み部１８Ｆを示す。差し込み部１８Ｆは、突条部４３０が差し込み部１８Ｃの先端側（Ｙ２側）に限定して形成してある構成である。突条部４３０は、成形によって図２中のモールド部品１４に一体的に形成してあり、信号コンタクト１５−１（１５−２）とグランドコンタクト１６との間の部分に設けてある。
【００５１】
コネクタ保護カバーは、差し込み部１８Ｆを覆い、内面が突条部４３０に接触して、摩擦力でもって保持されて取り付けられる。
【実施例１６】
【００５２】
図２９は本発明の実施例１６になるケーブル側コネクタの差し込み部１８Ｇを示す。差し込み部１８Ｇは、突条部４４０が差し込み部１８ＤのＸ１方向の端のＺ１側の面に、突条部４４１が板部１４ａのＺ２側の面に形成してある構成である。Ｘ２方向の端にも、同様に突条部が形成してある。突条部４４０，４４１は、成形によって図２中のモールド部品１４に一体的に形成してある。
【００５３】
コネクタ保護カバー４１０は、図２９（Ｂ）に示すように、差し込み部１８Ｇを覆い、内面が突条部４４０、４４１に接触して、摩擦力でもって保持されて取り付けられる。
【実施例１７】
【００５４】
図３０は本発明の実施例１７になるケーブル側コネクタの差し込み部１８Ｈを示す。差し込み部１８Ｈは、板部１４ａのＸ１側の側面のうちＺ１側に突条部４５０が、Ｚ２側に突条部４５１が形成してある構成である。Ｘ２方向の端にも、同様に突条部が形成してある。突条部４５０，４５１は、成形によって図２中のモールド部品１４に一体的に形成してある。
【００５５】
コネクタ保護カバー４１０は、図３０（Ｂ）に示すように、差し込み部１８Ｈを覆い、内面が突条部４５０、４５１に接触して、摩擦力でもって保持されて取り付けられる。
【実施例１８】
【００５６】
図３１は本発明の実施例１８になるケーブル側コネクタの差し込み部１８Ｊを示す。差し込み部１８Ｊは、板部１４ａのＸ１側の角部に、Ｚ１側の面からＸ１側の面に亘って突条部４６０が形成してあり、且つ、Ｚ２側の面からＸ１側の面に亘って突条部４６１が形成してある構成である。Ｘ２方向の端にも、同様に突条部が形成してある。突条部４６０，４６１は、成形によって図２中のモールド部品１４に一体的に形成してある。
【００５７】
コネクタ保護カバー４１０は、図３１（Ｂ）に示すように、差し込み部１８Ｆを覆い、内面が突条部４６０、４６１に接触して、摩擦力でもって保持されて取り付けられる。
【図面の簡単な説明】
【００５８】
【図１】本発明のコネクタ保護カバーが適用されるケーブル側コネクタを基板側コネクタと対応させて示す斜視図である。
【図２】図１のケーブル側コネクタを構成するコネクタモジュールを示す図である。
【図３】図２のコネクタモジュールを構成するコンタクト組立体を分解して示す図である。
【図４】本発明の実施例1になるコネクタ保護カバーを、差し込み部と対向させて示す図である。
【図５】本発明の実施例２になるコネクタ保護カバーを、差し込み部と対向させて示す図である。
【図６】本発明の実施例３になるコネクタ保護カバーを、差し込み部と対向させて示す図である。
【図７】図６中、VII-VII線を含むＸ−Ｙ面で切断して示す断面図である。
【図８】本発明の実施例４になるコネクタ保護カバーを、差し込み部と対向させて示す図である。
【図９】図８中、IX-IX線を含むＸ−Ｙ面で切断して示す断面図である。
【図１０】本発明の実施例５になるコネクタ保護カバーを、差し込み部と対向させて示す図である。
【図１１】本発明の実施例６になるコネクタ保護カバーを、差し込み部と対向させて示す図である。
【図１２】図１１の一部を拡大して示す図である。
【図１３】本発明の実施例７になるコネクタ保護カバーを一部切裁して示す図である。
【図１４】図１３のコネクタ保護カバーの取り付け状態を示す図である。
【図１５】本発明の実施例８になるコネクタ保護カバーを一部切裁して示す図である。
【図１６】図１５のコネクタ保護カバーの取り付け状態を示す図である。
【図１７】本発明の実施例９になるコネクタ保護カバーを一部切裁して示す図である。
【図１８】図１７のコネクタ保護カバーの取り付け状態を示す図である。
【図１９】本発明の実施例１０になるコネクタ保護カバーを一部切裁して示す図である。
【図２０】図１９のコネクタ保護カバーの取り付け状態を示す図である。
【図２１】本発明の実施例１１になるコネクタ保護カバーを一部切裁して示す図である。
【図２２】図２１のコネクタ保護カバーの取り付け状態を示す図である。
【図２３】本発明の実施例１２になるコネクタ保護カバーを一部切裁して示す図である。
【図２４】図２３のコネクタ保護カバーの取り付け状態を示す図である。
【図２５】本発明の実施例１３になるケーブル側コネクタの差し込み部を示す図である。
【図２６】コネクタ保護カバーの図２５の差し込み部への取り付け状態を示す図である。
【図２７】本発明の実施例１４になるケーブル側コネクタの差し込み部を示す図である。
【図２８】本発明の実施例１５になるケーブル側コネクタの差し込み部を示す図である。
【図２９】本発明の実施例１６になるケーブル側コネクタの差し込み部を示す図である。
【図３０】本発明の実施例１７になるケーブル側コネクタの差し込み部を示す図である。
【図３１】本発明の実施例１８になるケーブル側コネクタの差し込み部を示す図である。
【符号の説明】
【００５９】
１０  ケーブル側コネクタ
１３  コンタクト組立体
１４  モールド部品
１５−１、１５−２  信号コンタクト
１６  グランドコンタクト
１８  差し込み部
２００、２１０、２２０、２３０、２４０、２５０、２６０、２７０、２８０、２９０、３００、３１０  コネクタ保護カバー
４００、４０１、４２０，４３０、４４０，４４１、４５０，４５１、４６０，４６１  突条部
【図１】
2007122886.tif 000003
【図２】
2007122886.tif 000004
【図３】
2007122886.tif 000005
【図４】
2007122886.tif 000006
【図５】
2007122886.tif 000007
【図６】
2007122886.tif 000008
【図７】
2007122886.tif 000009
【図８】
2007122886.tif 000010
【図９】
2007122886.tif 000011
【図１０】
2007122886.tif 000012
【図１１】
2007122886.tif 000013
【図１２】
2007122886.tif 000014
【図１３】
2007122886.tif 000015
【図１４】
2007122886.tif 000016
【図１５】
2007122886.tif 000017
【図１６】
2007122886.tif 000018
【図１７】
2007122886.tif 000019
【図１８】
2007122886.tif 000020
【図１９】
2007122886.tif 000021
【図２０】
2007122886.tif 000022
【図２１】
2007122886.tif 000023
【図２２】
2007122886.tif 000024
【図２３】
2007122886.tif 000025
【図２４】
2007122886.tif 000026
【図２５】
2007122886.tif 000027
【図２６】
2007122886.tif 000028
【図２７】
2007122886.tif 000029
【図２８】
2007122886.tif 000030
【図２９】
2007122886.tif 000031
【図３０】
2007122886.tif 000032
【図３１】
2007122886.tif 000033